(57)【要約】    【課題】  コンクリート構造物の床部分から連続一体に立ち上がる壁部分の成形用型枠を、その床部分の厚み分だけ浮上した状態に安定良く受け止め支持する。    【解決手段】  径大なアンカーフランジ（１７）（１８）を有する雌ネジ口筒（１５）（１６）が埋設一体化されたコンクリート製接地ブロック（１１）（１２）の上下一対と、その向かい合う雌ネジ口筒（１５）（１６）同志に螺合締結される１本のネジ支柱（１９）とから成り、上記接地ブロック（１１）（１２）の何れか一方又は双方と上記ネジ支柱（１９）との相対的な回動操作により、コンクリート構造物（Ｍ）における床部分（Ｘ）の厚み分と対応する据え立て高さ（Ｔ）の調整を行なえるように定めた。【選択図】  図９
2005273307.tif 000002
【特許請求の範囲】
【請求項１】
コンクリート構造物（Ｍ）の床部分（Ｘ）から連続一体に立ち上がる壁部分（Ｙ）の成形用型枠（１４）を、その床部分（Ｘ）の厚み分だけ浮上した状態に受け止める型枠支持スタンド（Ｓ）として、
径大なアンカーフランジ（１７）（１８）を有する雌ネジ口筒（１５）（１６）が埋設一体化されたコンクリート製接地ブロック（１１）（１２）の上下一対と、その向かい合う雌ネジ口筒（１５）（１６）同志に螺合締結される１本のネジ支柱（１９）とから成り、
上記接地ブロック（１１）（１２）の何れか一方又は双方とネジ支柱（１９）との相対的な回動操作により、上記床部分（Ｘ）の厚み分と対応する据え立て高さ（Ｔ）の調整を行なえるように定めたことを特徴とするコンクリート成形用の型枠支持スタンド。
【請求項２】
接地ブロック（１１）（１２）を、その先端部の円弧面（１１ｂ）（１２ｂ）が床部分（Ｘ）の成形用型枠（１３）と立ち上がり壁部分（Ｙ）の成形用型枠（１４）へ、各々線接触するほぼカマボコ型に造形したことを特徴とする請求項１記載のコンクリート成形用の型枠支持スタンド。
【請求項３】
接地ブロック（１１）（１２）を、その先端部のフラット面（１１ｃ）（１２ｃ）が床部分（Ｘ）の成形用型枠（１３）と立ち上がり壁部分（Ｙ）の成形用型枠（１４）へ、各々面接触するほほ截頭角錐型又は截頭円錐型に造形したことを特徴とする請求項１記載のコンクリート成形用の型枠支持スタンド。
【請求項４】
接地ブロック（１１）（１２）に埋設一体化された雌ネジ口筒（１５）（１６）の内奥部を、円板状のアンカーフランジ（１７）（１８）による施蓋状態に保つ一方、
同じく雌ネジ口筒（１５）（１６）の入口部を上記接地ブロック（１１）（１２）における基端部のフラット面（１１ａ）（１２ａ）から、一定高さ（ｈ３）（ｈ４）だけ露出させたことを特徴とする請求項１記載のコンクリート成形用の型枠支持スタンド。
【発明の詳細な説明】
【技術分野】
【０００１】
本発明は高架道路や建物の基礎、その他の各種コンクリート構造物における床部分から連続一体に立ち上がる壁部分の成形用型枠を、その床部分の厚み分だけ浮上した状態に受け止める支持スタンドに関する。
【背景技術】
【０００２】
土間部分と立ち上がり部分とから成る建物のコンクリート基礎を、連続一体に成形する型枠の支持装置として、特開２００２−２２０９２２号が提案されており、その型枠支持装置の使用によって立ち上がり部分（２１）の成形用型枠（１０）を、土間部分（２０）の厚み分だけ浮上した状態に受け止め支持することができるようになっている。
【特許文献１】特開２００２−２２０９２２号公報
【発明の開示】
【発明が解決しようとする課題】
【０００３】
ところが、上記公知発明の型枠支持装置は「地盤上に固定するベース板（１）にボルト（２ａ）（２ｂ）を垂直に立設したベース金具（３）と、下面側に前記ボルト（２ｂ）の挿入部（４）を有し、上面側にネジ軸（５）が突出し、周壁に上方への抜き勾配が形成された型枠受け具（６）と、前記ネジ軸（５）に対応したナット（７）とから成る」ほか、立ち上がり部分（２１）の成形用型枠（１０）を土間部分（２０）の厚みに応じて高さ調整するためのスリーブ（８）も必要であり、未だ組立部品点数が非常に多く、この種の多量に使う型枠支持装置として、量産効果を最大限に発揮させることができない。
【０００４】
又、その型枠支持装置の使用に当っても、ベース金具（３）のボルト（２ｂ）に型枠受け具（６）を取り付け、その型枠受け具（６）のネジ軸（５）を型枠（１０）の下桟（１７）に明けた孔（２４）から導出させて、これにナット（７）を締結固定する一方、スリーブ（８）の回動操作により型枠（１０）の高さ調整後、ベース板（１）をコンクリート釘（１３）の打ち込みによって、捨てコンクリート（１２）へ固定する必要があり、しかも立ち上がり部分（２１）の成形硬化後には上記ナット（７）や型枠受け具（６）の抜き取り作業と、その抜き取り穴に対するモルタルやシーリング材（２２）の充填・補修作業も行なわなければならず、甚だ煩らわしく不便である。
【課題を解決するための手段】
【０００５】
本発明はこのような課題の改良を目的としており、その目的を達成するために、請求項１ではコンクリート構造物の床部分から連続一体に立ち上がる壁部分の成形用型枠を、その床部分の厚み分だけ浮上した状態に受け止める型枠支持スタンドとして、
【０００６】
径大なアンカーフランジを有する雌ネジ口筒が埋設一体化されたコンクリート製接地ブロックの上下一対と、その向かい合う雌ネジ口筒同志に螺合締結される１本のネジ支柱とから成り、
【０００７】
上記接地ブロックの何れか一方又は双方とネジ支柱との相対的な回動操作により、上記床部分の厚み分と対応する据え立て高さの調整を行なえるように定めたことを特徴としている。
【０００８】
又、上記請求項１に従属する請求項２では特に接地ブロックを、その先端部の円弧面が床部分の成形用型枠と立ち上がり壁部分の成形用型枠へ、各々線接触するほぼカマボコ型に造形したことを特徴としている。
【０００９】
同じく請求項３では接地ブロックを、その先端部のフラット面が床部分の成形用型枠と立ち上がり壁部分の成形用型枠へ、各々面接触するほほ截頭角錐型又は截頭円錐型に造形したことを特徴としている。
【００１０】
更に、請求項４では接地ブロックに埋設一体化された雌ネジ口筒の内奥部を、円板状のアンカーフランジによる施蓋状態に保つ一方、
【００１１】
同じく雌ネジ口筒の入口部を上記接地ブロックにおける基端部のフラット面から、一定高さだけ露出させたことを特徴としている。
【発明の効果】
【００１２】
請求項１の上記構成によれば、コンクリート構造物の床部分から連続一体に立ち上がる壁部分の成形用型枠を受け止める支持スタンドとして、径大なアンカーフランジを有する雌ネジ口筒が埋設一体化されたコンクリート製接地ブロックの上下一対と、その向かい合う雌ネジ口筒に螺合締結される１本のネジ支柱とから成る簡素な構成で足りるため、この種多量に使う型枠支持スタンドの量産効果を最大限に発揮させることができる。
【００１３】
又、その型枠支持スタンドの使用に当っても、上記接地ブロックの何れか一方又は双方とネジ支柱とを相対的に回動操作すれば、その据え立て高さを上記床部分の厚み分と対応する寸法に調整できるため、著しく便利であって、コンクリート構造物の成形硬化後に、その表面を補修したり、まして成形用型枠から取り出したりする必要もない点で、現場施工性に優れる。
【００１４】
特に、請求項２の構成を採用するならば、コンクリート製の接地ブロックがコンクリート構造物の表面からいたづらに大きく露出せず、その親和性とも相俟って、コンクリート構造物の外観化粧効果を一層向上させることができる。
【００１５】
他方、請求項３に記載の構成を採用するならば、型枠支持スタンドの多数を一定間隔ピッチおきに据え立て使用する際、そのコンクリート構造物の補強用鉄筋へ結束するまでの仮り置き状態として、転倒し難い自立姿勢に保つことができ、作業性の向上に役立つ。
【００１６】
更に、請求項４の構成を採用するならば、コンクリート製接地ブロックの成形と同時に雌ネジ口筒を埋設一体化する場合、そのコンクリートが雌ネジ口筒の内部へ流れ込むおそれを確実に防止することができる。
【発明を実施するための最良の形態】
【００１７】
以下、図面に基いて本発明の具体的構成を詳述すると、図１〜５はその本発明に係る型枠支持スタンド（Ｓ）の基本実施形態を示しており、（１１）（１２）は高強度コンクリートから背高いほぼカマボコ型に成形硬化された接地ブロックの上下一対であって、その基端部のフラット面（１１ａ）（１２ａ）から一定高さ（ｈ１）（ｈ２）だけ隆起した先端部の円弧面（１１ｂ）（１２ｂ）が、図８、９の使用状態から明白なように、一体型コンクリート構造物（Ｍ）をなす床部分（Ｘ）の成形用型枠（１３）と立ち上がり壁部分（Ｙ）の成形用型枠（１４）へ、各々線接触するようになっている。
【００１８】
そのため、上記接地ブロック（１１）（１２）は打設コンクリートとの親和性を保ち、そのコンクリート構造物（Ｍ）の不純物と看做されることがなく、又コンクリート構造物（Ｍ）の表面からいたづらに大きく露出しない結果、外観上の違和感を与えるおそれもない。尚、このような先端部の円弧面（１１ｂ）（１２ｂ）に比して、上記基端部のフラット面（１１ａ）（１２ａ）は長方形又は正方形の輪郭形状を呈している。
【００１９】
（１５）（１６）は径大な円板状のアンカーフランジ（１７）（１８）を抜け止め用として、上記接地ブロック（１１）（１２）の各個へ埋設一体化された雌ネジ口筒であり、その接地ブロック（１１）（１２）におけるフラット面（１１ａ）（１２ａ）の中央部から一定高さ（ｈ３）（ｈ４）だけ露出している。
【００２０】
その雌ネジ口筒（１５）（１６）の入口部が接地ブロック（１１）（１２）のフラット面（１１ａ）（１２ａ）から背高く隆起していると共に、同じく雌ネジ口筒（１５）（１６）の内奥部は上記アンカーフランジ（１７）（１８）により施蓋された一体品であるため、これを接地ブロック（１１）（１２）の成形と同時に埋め込む際、そのコンクリートが雌ネジ口筒（１５）（１６）の内部へ流れ込むおそれはない。
【００２１】
（１９）は上記接地ブロック（１１）（１２）のフラット面（１１ａ）（１２ａ）から露出する雌ネジ口筒（１５）（１６）同志の向かい合う上下相互間へ、進退自在に螺合締結される１本のネジ支柱であり、そのネジ支柱（１９）と上記接地ブロック（１１）（１２）との相対的な回動操作によって、本発明に係る型枠支持スタンド（Ｓ）の全体的な据え立て高さ（Ｔ）を調整することができる。
【００２２】
この点、図１〜５の基本実施形態では上下一対の接地ブロック（１１）（１２）とこれに埋設一体化されたアンカーフランジ（１７）（１８）付きの雌ネジ口筒（１５）（１６）を、互いに同じ大きさ・形状として向かい合わせた上、全ネジボルトから成るネジ支柱（１９）によって締結しているが、図６の第１変形実施形態に示す如く、上記接地ブロック（１１）（１２）の大きさに相違変化を与えて、好ましくは大きな接地ブロック（１２）を下側として据え立て使用することもできる。
【００２３】
又、図７の第２変形実施形態に示す如く、上記接地ブロック（１１）（１２）の上下一対又はその下側の一方だけを、その先端部もフラット面（１１ｃ）（１２ｃ）となる截頭角錐型や截頭円錐型、その他の先細り形態として造形してもさしつかえない。
【００２４】
このような第２変形実施形態の構成でも、コンクリートの接地ブロック（１１）（１２）をその硬質合成樹脂製の成形金型（図示省略）から支障なく離型させることができ、又先端部のフラット面（１１ｃ）（１２ｃ）がコンクリート構造物（Ｍ）の成形用型枠（１３）（１４）へ面接触するとしても、そのコンクリート構造物（Ｍ）の如何では外界から看取されず、化粧上の違和感を与えないからである。
【００２５】
却って、第２実施形態の構成によれば、本発明の型枠支持スタンド（Ｓ）を一定間隔ピッチでの仮り置き分布状態に据え立て使用する際、その転倒し難い自立姿勢を保てる利点があり、作業性の向上に役立つと言える。
【００２６】
図１〜７に示した何れの実施形態にあっても、上記雌ネジ口筒（１５）（１６）を図７に併記する如く、その雌ネジの螺旋が逆向きになる上下一対として、各々接地ブロック（１１）（１２）へ埋設一体化すると共に、上記ネジ支柱（１９）となるターンバックルをその向かい合う雌ネジ口筒（１５）（１６）へ螺合締結しても良い。
【００２７】
これによれば、型枠支持スタンド（Ｓ）の据え立て高さ（Ｔ）を一層すばやく調整操作できる利便性がある。（２０）はそのターンバックの回動操作棒（図示省略）を受け入れる貫通孔である。尚、第１、２変形実施形態におけるその他の構成は上記基本実施形態と実質的に同一であるため、その図６、７に図１〜５との対応符号を記入するにとどめて、これらの詳細な説明を省略する。
【００２８】
図８、９は高架道路を上記コンクリート構造物（Ｍ）の代表的な一例として、これに適用した本発明の使用状態を示しており、その高架道路（Ｍ）のコンクリート床版（上記床部分）（Ｘ）と壁高欄（上記立ち上がり部分）（Ｙ）とを連続一体に成形するような場合、本発明に係る型枠支持スタンド（Ｓ）のネジ支柱（１９）と、接地ブロック（１１）（１２）の何れか一方又は双方とを相対的に回動操作して、その型枠支持スタンド（Ｓ）の据え立て高さ（Ｔ）をコンクリート床版（床部分）（Ｘ）の厚み分（打設コンクリートのかぶり代）と対応する寸法に調整する。
【００２９】
次に、その調整状態にある型枠支持スタンド（Ｓ）の所要数を、これによって受け止め支持すべき上記壁高欄（立ち上がり壁部分）（Ｙ）の成形用型枠（１４）における対応的な真下位置へ、予じめ決められた間隔ピッチ（Ｐ）に分布する並列状態として、上記コンクリート床版（床部分）（Ｘ）の成形用型枠（１３）から据え立てると共に、その成形用型枠（１３）の内部に縦横交錯されているコンクリート床版（床部分）（Ｘ）の補強用鉄筋（２１）（２２）へ、金属線材やクリップなどの結束用具（２３）によって各々安定良く結束する。その結束用具（２３）は補強用鉄筋（２１）（２２）と、型枠支持スタンド（Ｓ）のネジ支柱（１９）に亘って締結固定すれば良い。
【００３０】
このような並列状態に据え立て分布された型枠支持スタンド（Ｓ）へ、最後に上方から上記壁高欄（立ち上がり壁部分）（Ｙ）の成形用型枠（１４）を載置すれば、その結果として壁高欄（立ち上がり壁部分）（Ｙ）の成形用型枠（１４）を下方から本発明の型枠支持スタンド（Ｓ）により、上記コンクリート床版（床部分）（Ｘ）の厚み分だけ浮上した状態に突っ張り支持することができる。
【００３１】
そして、上記コンクリート床版（床部分）（Ｘ）の成形用型枠（１３）と壁高欄（立ち上がり壁部分）（Ｙ）の成形用型枠（１４）へ、コンクリートを打設すれば、そのコンクリート床版（床部分）（Ｘ）と壁高欄（立ち上がり壁部分）（Ｙ）とが連続する一体型の高架道路（コンクリート構造物）（Ｍ）を成形できることになる。
【００３２】
その高架道路（コンクリート構造物）（Ｍ）の成形硬化後、上記型枠（１３）（１４）が取りはずし解体されることは言うまでもないが、本発明の型枠支持スタンド（Ｓ）はその高架道路（コンクリート構造物）（Ｍ）の就中コンクリート床版（床部分）（Ｘ）へ埋没した状態にあり、その接地ブロック（１１）（１２）がコンクリート床版（床部分）（Ｘ）との親和性を保つため、その表面を爾後的に補修作業したり、まして取りはずしたりする必要性は皆無である。
【図面の簡単な説明】
【００３３】
【図１】本発明に係る型枠支持スタンドの斜面図である。
【図２】図１の正面断面図である。
【図３】接地ブロックを抽出して示す正面図である。
【図４】図３の平面図である。
【図５】図２の５−５線断面図である。
【図６】図２に対応する型枠支持スタンドの第１変形実施形態を示す断面図である。
【図７】同じく図２に対応する型枠支持スタンドの第２変形実施形態を示す断面図である。
【図８】型枠支持スタンドの使用状態を示す断面図である。
【図９】図８の９−９線に沿う拡大断面図である。
【符号の説明】
【００３４】
（１１）（１２）・接地ブロック
（１１ａ）（１２ａ）・基端部のフラット面
（１１ｂ）（１２ｂ）・先端部の円弧面
（１１ｃ）（１２ｃ）・先端部のフラット面
（１３）・床部分（コンクリート床版）の成形用型枠
（１４）・壁部分（壁高欄）の成形用型枠
（１５）（１６）・雌ネジ口筒
（１７）（１８）・アンカーフランジ
（１９）・ネジ支柱
（２０）・貫通孔
（２１）（２２）・鉄筋
（２３）・結束用具
（Ｍ）・コンクリート構造物（高架道路）
（Ｓ）・型枠支持スタンド
（Ｘ）・床部分（コンクリート床版）
（Ｙ）・立ち上がり壁部分（壁高欄）
（Ｔ）・据え立て高さ
【図１】
2005273307.tif 000003
【図２】
2005273307.tif 000004
【図３】
2005273307.tif 000005
【図４】
2005273307.tif 000006
【図５】
2005273307.tif 000007
【図６】
2005273307.tif 000008
【図７】
2005273307.tif 000009
【図８】
2005273307.tif 000010
【図９】
2005273307.tif 000011